(57)【特許請求の範囲】
【請求項１】
鍵と、
ペダルと、
前記鍵の押下に応じて楽音信号を発生する電子音源と、
前記ペダルの操作に応じて前記楽音信号に対する減衰の付与の制御を行う手段と、
前記鍵の押下により回動するウイペンと、
前記鍵の押下により回動しているウイペンに回動の途中から抗力を与える抗力付与部と、
前記抗力付与部が前記ウイペンに抗力を与える開始点を、前記ペダルの操作量に応じて変化させる切替機構と
を具備することを特徴とするアップライト型鍵盤楽器。
【請求項２】
前記抗力付与部は、前記回動に伴って下降するウイペンの端部を下から受け止めるように配置された弾性部材を含み、
前記切換機構は、前記ペダルの操作量が大きくなるにつれて、前記ウイペンの端部から前記弾性部材を遠ざける
ことを特徴とする請求項１に記載のアップライト型鍵盤楽器。
【請求項３】
前記抗力付与部は、
前記ウイペンの端部において起立したウイペン側当接部材と、
このウイペン側当接部材と側方から対面する板バネと
を有し、
前記切換機構は、前記ペダルの操作量が大きくなるにつれて、前記板バネを前記ウイペン側当接部材から遠ざける
ことを特徴とする請求項１に記載のアップライト型鍵盤楽器。
【請求項４】
ダンパを有していない鍵に対応して設けられ、当該鍵の押下により回動しているウイペンに回動の途中から抗力を与える抗力付与部と、
前記抗力付与部が前記ウイペンに抗力を与える開始点を、楽音に対する減衰の付与を行うか否かを切り換えるペダルの操作量に応じて変化させる切替機構と
を具備することを特徴とするアップライトピアノ。
【発明の詳細な説明】
【０００１】
【発明の属する技術分野】
この発明は、リアルな鍵タッチ感を得ることができるようにした電子ピアノなどのアップライト型鍵盤楽器に関する。
【０００２】
【従来の技術】
一般に電子アップライトピアノは、鍵盤と、鍵が押下されることにより回動して被打撃体を打撃するハンマと、押下された鍵の動作をハンマに伝達するアクション機構とを備えており、鍵の運動をセンサで検出し、この検出結果に基づいて楽音を発生させている。このような電子アップライトピアノによれば、演奏者は、通常のアップライトピアノと近似な鍵タッチ感（抵抗感）を得ながら演奏し、演奏音をスピーカやヘッドホンによって聞くことができる。
【０００３】
【発明が解決しようとする課題】
ところで、アップライトピアノは、弦と、弦の振動を止めるためのダンパとを有しており、このダンパは、ダンパスプリングによって弦に接触するように付勢されている。また、ダンパは、鍵が押下されると、ダンパスプリングの付勢力に抗して弦から離れるようになっている。一方、上述した電子アップライトピアノは弦とダンパとを有していない。また、アップライトピアノであっても、音をより響かせるために、最高音の鍵から２０鍵程の範囲にある鍵にはダンパが備えられていない。このようにピアノには、ダンパを有する鍵と有しない鍵とがあるが、それらを押下したときの鍵タッチ感は、ダンパを有するか否かにより異なる。
【０００４】
図１２は、ダンパの有無によるタッチ感の違いを表している。図１２において、横軸は押鍵時において鍵が押し下げられた距離［ｍｍ］を示し、縦軸は鍵を押し下げるのに要する力［ｇ］を示している。そして、Ａは、ダンパを有する鍵を押し下げるのに要する力を示し、Ｂは、ダンパの無い鍵（アップライトピアノの特定の鍵、電子アップライトピアノ）を押し下げるのに要する力を示している。
【０００５】
図１２に示されるように、ダンパを有しない鍵の場合（Ｂ）、押鍵初期を除いてほとんど一定の力で押すことができる。これに対し、ダンパを有する鍵の場合（Ａ）、押鍵のストロークの途中から押鍵に要する力が増大し、その後、この力は減少する。これはジャックが抜けて、ハンマの荷重がなくなるからである。
【０００６】
ダンパを有する鍵を押下した場合にはこのようなタッチ感が演奏者の指に与えられる。しかし、電子アップライトピアノは、そもそもダンパを有していないので、演奏者はこのタッチ感を楽しむことができない。また、アップライトピアノであっても、高音域の鍵にはダンパが備えられていないので、この高音域の鍵を押下したときには、他の音域の鍵を押下したときに得られる鍵タッチ感と同等の鍵タッチ感が得られない。
【０００７】
この発明は、以上説明した事情に鑑みてなされたものであり、ダンパを有しない鍵を押下した場合でも、ダンパを有している場合と同様なタッチ感を得ることができるアップライト型鍵盤楽器を提供することを目的としている。
【０００８】
【課題を解決するための手段】
上記課題を解決するため、この発明は、鍵と、ペダルと、前記鍵の押下に応じて楽音信号を発生する電子音源と、前記ペダルの操作に応じて前記楽音信号に対する減衰の付与の制御を行う手段と、前記鍵の押下により回動するウイペンと、前記鍵の押下により回動しているウイペンに回動の途中から抗力を与える抗力付与部と、前記抗力付与部が前記ウイペンに抗力を与える開始点を、前記ペダルの操作量に応じて変化させる切替機構とを具備することを特徴とするアップライト型鍵盤楽器を提供する。
【０００９】
好ましい態様において、前記抗力付与部は、前記回動に伴って下降するウイペンの端部を下から受け止めるように配置された弾性部材を含み、前記切換機構は、前記ペダルの操作量が大きくなるにつれて、前記ウイペンの端部から前記弾性部材を遠ざける。
【００１０】
別の好ましい態様において、前記抗力付与部は、前記ウイペンの端部において起立したウイペン側当接部材と、このウイペン側当接部材と側方から対面する板バネとを有し、前記切換機構は、前記ペダルの操作量が大きくなるにつれて、前記板バネを前記ウイペン側当接部材から遠ざける。
【００１１】
また、別の観点から、この発明は、ダンパを有していない鍵に対応して設けられ、当該鍵の押下により回動しているウイペンに回動の途中から抗力を与える抗力付与部と、前記抗力付与部が前記ウイペンに抗力を与える開始点を、楽音に対する減衰の付与を行うか否かを切り換えるペダルの操作量に応じて変化させる切替機構とを具備することを特徴とするアップライトピアノを提供する。
【００１２】
【発明の実施の形態】
Ａ．第１実施形態
図１は、この発明の第１実施形態に係る鍵盤楽器の側断面図である。
図１において、鍵盤１２は、紙面に対して垂直な方向に並んだ複数の鍵１１を有している。これらの各鍵１１は、鍵盤楽器の下部フレームである棚板１の上に、以下説明するように支持されている。まず、棚板１の上面には、鍵盤楽器の全幅に亘って延在する筬後２、筬中３および筬前４が図中右側からこの順番で取り付けられている。筬中３は、各鍵１１の支点となる部材である。この筬中３の上面のうち鍵１１が置かれる各位置にはバランスピン５が立設されている。各鍵１１は、バランスピン５によって貫かれた状態で、筬中３の上面に載せられている。筬後２と筬前４の上面には、クッション材６および７がそれぞれ取り付けられている。また、筬前４には、鍵１１の左右方向への回動を規制するオーバルピン８が取り付けられている。鍵１１の後端部（図１において右端部）の上面にはキャプスタン９が起立している。鍵１１の先端部が押下されると、鍵１１は筬中３を支点として回動する。キャプスタン９は、このような押鍵に伴う鍵１１の回動により上昇する。
【００１３】
鍵盤１２には、各鍵１１の運動を検出するためのセンサ（図示略）が設けられている。このセンサは、鍵１１によって打撃される圧電素子でも良く、フォトインタラプタ等の光センサを棚板１の上面に配置し、光センサの光軸を遮光するシャッタを鍵１１の下面に取り付けて構成しても良い。なお、光センサを用いる場合には、シャッタが光軸を遮光した後に受光状態にするまでの時間から押鍵速度を計測し、発生する楽音の音量を計測した押鍵速度に対応させるようにしても良い。鍵１１の動きを検出するセンサの出力信号は、図示しない電子音源に与えられる。
【００１４】
鍵盤楽器は、以上説明した鍵盤１２の各鍵１１に対応し、ハンマアッセンブリ４０とアクション機構１３とを有している。これらは、いずれもセンタレール１６により支持されている。ここで、センタレール１６は、鍵盤楽器の全幅に亘って延在している。そして、センタレール１６の両端部およびその中間の複数の位置にはアクションブラケット１５が配置されている。そして、これらのアクションブラケット１５の間に、ハンマアッセンブリ４０とアクション機構１３が配置されている。
【００１５】
図２はハンマアッセンブリ４０とアクション機構１３の詳細な構成を示す側断面図である。ハンマアッセンブリ４０は、基部たるバット４１を有している。このバット４１は、センタレール１６に取り付けられたバットフレンジ４２にセンタピン４２ａにより回動自在に取り付けられている。 また、バット４１の下面には、バットアンダーフェルト４１ａとこれを覆うバットアンダースキン４１ｂとが取り付けられている。
【００１６】
ハンマ４３は、バット４１に取り付けられたハンマシャンク４３ａと、このハンマシャンク４３ａの先端に取り付けられた結合部材４３ｂと、ハンマシャンク４３ａと直角をなすように結合部材４３ｂからハンマ４３の回動方向（図における時計廻り）に向かって突き出した重量部材４３ｃとを有している。バット４１の図中右上端部には、このハンマ４３を反時計廻りの方向に付勢するバットスプリング４７が取り付けられている。各ハンマ４３の重量部材４３ｃは、実際のアップライトピアノのフェルトハンマに合わせるため、その大きさ、形状および使用材料などを変えることにより、低音側から高音側へ移るに従って漸次軽くしてある。
【００１７】
キャッチャシャンク４５は、ハンマシャンク４３ａと略直交するような向きでバット４１に取り付けられており、このキャッチャシャンク４５の先端部にはキャッチャ４６が取り付けられている。
【００１８】
被打撃部６０は、以上説明したハンマアッセンブリ４０におけるハンマシャンク４３ａによって打撃される部材である。この被打撃部６０は、鍵盤楽器の全幅に亘って延在したブラケット６１を有している。好ましい態様において、ブラケット６１は、例えば鋳鉄などの減衰性の高い材料で構成されている。ブラケット６１の一方の面には、ゴムやウレタンなどの合成樹脂で構成された減衰材６２が取り付けられ、減衰材６２の表面には、ゴム、合成樹脂、皮革、クロス、フェルトなどで構成された緩衝材６３が取り付けられている。ハンマシャンク４３ａは、時計廻りに回動したとき、この緩衝材６３によりその動きが止められる。
【００１９】
ハンマレール３６は、鍵盤楽器の全幅にわたって延在している。このハンマレール３６には、ハンマシャンク４３ａを受けて跳返りを防止するハンマパッド３７が取り付けられている。押鍵が行われていないレスト位置において、ハンマアッセンブリ４０は、バットスプリング４７の付勢力により、ハンマシャンク４３ａをハンマパッド３７に当接させた状態で保持されている。
【００２０】
アクション機構１３は、ハンマアッセンブリ４０に鍵１１の運動を伝達するための機構である。以下、このアクション機構１３の構成を説明する。センタレール１６の下端部において各鍵１１の後端部の近くの各位置には、複数のウイペンフレンジ２２が取り付けられている。ウイペンフレンジ２２の下端部には、ピン２２ａによってウイペン２３の端部近傍の部分が取り付けられている。このウイペン２３には、ウイペンヒールクロス２４が取り付けられている。非押鍵時、ウイペン２３は、このウイペンヒールクロス２４を鍵１１の後端部にあるキャプスタン９に載せた状態で、ほぼ水平な姿勢を保っている。
【００２１】
ジャック２６は、ジャック大２６ａと、このジャック大２６ａに対してほぼ直交するジャック小２６ｂとから構成された略Ｌ字状の部材である。上述したウイペン２３には、上下方向を向いたジャックフレンジ２５が取り付けられており、このジャックフレンジ２５の上端部に、ジャック２６の屈曲部近傍の部分がピン２６ｃによって取り付けられている。ジャック２６は、このピン２６ｃを軸として回動可能であるが、この回動は以下の構成により規制されている。まず、ジャック小２６ｂとウイペン２３との間にはジャックスプリング２７が介在している。また、ジャック大２６ａの反時計廻りの回動は、レギュレーティングレール３２によって規制される。このレギュレーティングレール３２は、ジャック大２６ａと対向している部分にジャックストップフェルト２９が貼り付けられており、レギュレーティングブラケット２８を介してセンタレール１６に取り付けられている。このような規制の下、ジャック２６は、斜め下方から、ハンマアッセンブリ４０におけるバット４１下面のバットアンダースキン４１ｂに向けて、ジャック大２６ａの先端を押し当てている。
【００２２】
押鍵により鍵１１が回動すると、鍵１１の後端部のキャプスタン９は、ウイペン２３の端部を押し上げ、ピン２２ａを中心としてウイペン２３を時計回りに回動せしめる。このウイペン２３の回動により、ジャック大２６ａがバット４１を斜め下方から押し上げ、ハンマ４３を時計廻りに回動せしめる。レギュレーティングボタン３４は、このときのジャック小２６ｂの移動を規制するための部材であり、レギュレーティングレール３２に取り付けられている。押鍵に伴ってウイペン２３が所定位置まで回動したときに、ジャック小２６ｂの先端部は、このレギュレーティングボタン３４の下端面により上昇が阻止される。なお、レギュレーティングボタン３４は、スクリュウ３３により上下方向の位置を調整することができる。
【００２３】
ウイペン２３の自由端には、バックチェック３８が取り付けられている。このバックチェック３８は、レスト位置へ回動復帰するハンマアッセンブリ４０のキャッチャ４６を弾性的に受けとめる部材である。さらに、バックチェック３８の隣には、ブライドルワイヤ３９ａが取り付けられ、ブライドルワイヤ３９ａの上端部とキャッチャ４６とはブライドルテープ３９ｂで連結されている。ブライドルテープ３９ｂは、ハンマアッセンブリ４０の回動復帰をウイペン２３の回動復帰に追従させることにより、ハンマアッセンブリ４０の跳ね返りに起因する被打撃部６０の二度打ちを防止するためのものである。
【００２４】
さて、通常のアップライトピアノの演奏者は、アクション機構およびハンマアッセンブリを駆動するための力だけでなく、これに加えてダンパを駆動するための力を指にこめて押鍵を行う。逆にいうと、アップライトピアノでは、アクション機構およびハンマアッセンブリだけでなく、これに加えて、ダンパが演奏者の指への対抗力を発生している。本実施形態に係る鍵盤楽器は、このようなダンパを有していない。しかしながら、本実施形態に係る鍵盤楽器は、このダンパの代わりに、演奏者の押鍵に対する抗力を発生する手段を具備している。これが図１および図３に示す板バネ部８０である。また、本実施形態に係る鍵盤楽器は、この板バネ部８０によって演奏者の押鍵に対する抗力を発生するか否かを切り換える手段を具備している。これが図１に示すラウドペダル部７０である。
【００２５】
図４は、板バネ部８０の構成を示す分解斜視図である。また、図５は、鍵盤楽器に取り付けられた板バネ部８０を鍵盤楽器の背面側から見た図である。図４に示すように、棚板１のピアノ背面側の端面において、その左右両端の２箇所には、棚板取付金具８８が各々取り付けられている。これら２個の棚板取付金具８８の上面には、板バネ取付台８７がネジ止めされている。
【００２６】
これら２個の板バネ取付台８７は、積載部８７ａおよび揺動抑止部８７ｂを有している。これらのうち積載部８７ａには、板バネ押え８３の両端部がネジＣにより固定されている。
【００２７】
また、２個の板バネ取付台８７のピアノ背面側の各面には、図５に示すように雌ネジ孔８７ｃが設けられている。ヒンジ取付板８５は、その両端に貫通孔を有しており、これらの貫通孔にネジＢを貫通させ、このネジＢを雌ネジ孔８７ｃに螺着することにより板バネ取付台８７に固定されている。この固定された状態において、ヒンジ取付板８５は、その板面をピアノ背面に対して平行に保っている。揺動板８４は、鍵盤の全幅に相当する長さの長尺状の板である。この揺動板８４は、丁番８６によりヒンジ取付板８５に取り付けられている。さらに詳述すると、丁番８６は、軸８６ａを共通の回転軸とする２枚の羽根を有しており、一方の羽根が揺動板８４の下面に固定され、他方の羽根がヒンジ取付板８５の板面に固定されている。従って、揺動板８４は、丁番８６の軸８６ａを中心として揺動することができる。板バネ取付台８７の揺動抑止部８７ｂは、この揺動板８４の下方への揺動をくい止めるストッパとして働く。
【００２８】
揺動板８４の上面には、板バネ取付レール８２が固定されている。この板バネ取付レール８２の上面には、鍵盤１２の各鍵１１の配列に合わせて複数の板バネ８１が配列されている。板バネ８１は、先端部上面にクッション８１ａが貼付されている。また、板バネ８１は、その後端部に切り欠きを有している。板バネ８１は、この切り欠きにネジＡを挿入し、このネジＡを板バネ取付レール８２に設けられた雌ネジ孔に螺着させることにより、板バネ取付レール８２に固定されている。上述した板バネ押さえ８３は、このようにして板バネ取付レール８２に固定された板バネ８１を上から押さえた状態で板バネ取付台８７に固定される。この状態において、板バネ８１は、図３に示すように、その先端部分を板バネ押さえ８３から突き出している。
【００２９】
そして、各板バネ８１は、図３に示すように、その先端部分のクッション８１ａをウイペン２３の端部下面に対向させた姿勢を保っている。ここで、鍵１１がレスト位置にあるとき、ウイペン２３の端部下面は、板バネ８１のクッション８１ａから浮いている。
【００３０】
揺動板８４の下面の１箇所には、図３に示すように、下方に延びたリンク部材７６が設けられている。このリンク部材７６の下端部の表面から軸７６ａが突出している。既に説明したように、揺動板８４は、丁番８６の軸８６ａを中心として揺動可能である。従って、リンク部材７６の軸８６ａは、軸７６ａを中心とした一定半径の円軌道に沿って移動可能である。
【００３１】
次に、ラウドペダル部７０の構成について説明する。図１に示すように、ラウドペダル７１は、その後端部（図１中の右端部）が回転軸７１ａにより支持台７２に連結されている。ラウドペダル７１は、この回転軸７１ａを中心にして回転し得る。また、ラウドペダル７１の後端部よりも中央部側の下面には、ペダルスプリング７３が取り付けられている。ラウドペダル７１は、このペダルスプリング７３により上方に押し上げられている。さらに、ラウドペダル７１におけるペダルスプリング７３の取り付け位置よりも中央部側の上面には、ラウドペダル突上棒７４が取り付けられている。
【００３２】
ペダルスプリング７３の付勢力に抗して、ラウドペダル７１が踏み下げられると、ラウドペダル７１は、回転軸７１ａを中心にして反時計方向に回転し、ラウドペダル突上棒７４が下降する。踏み下げの解除後は、ペダルスプリング７３の付勢力により、ラウドペダル７１は初期位置に復帰する。
【００３３】
また、ラウドペダル７１の運動を検出するために図示せぬセンサが設けられている。このセンサの出力信号は、図示しない電子音源に与えられる。
【００３４】
ラウドペダル部７０は、以上説明した機構の他、ラウドペダル７１の踏み込み運動を板バネ部８０に伝達する機構を備えている。まず、図３に示すように、棚板１におけるピアノ背面側の端部には棚板取付部材７７が取り付けられている。そして、棚板取付部材７７の回転軸７５ａには、略「く」の字型の回転アーム７５の中心部が軸支されている。この回転アーム７５の下端部には、ラウドペダル突上棒７４の上端部が軸７５ｃにより連結されている。また、回転アーム７５の上端部には、長孔７５ｂが空いている。この長孔７５ｂには、板バネ部８０のリンク部材７６の端部表面から突出した軸７６ａが挿入されている。
【００３５】
次に、本実施形態の動作について説明する。
まず、押鍵が行われると、ウイペン２３が、キャプスタン９により突き上げられ、ピン２２ａを中心として図２中時計廻りに回動される。これにより、ジャック大２６ａがバット４１を突き上げてハンマアッセンブリ４０を時計廻りに回動させ、ハンマシャンク４３ａが被打撃部６０を打撃する。その際、押鍵された鍵１１の運動がセンサによって検出され、その検出信号が電子音源に送られる。この結果、その鍵１１に対応する音高、並びに押鍵強度に対応する音量を有する楽音がスピーカやヘッドホンから発せられる。
【００３６】
その後、離鍵が行われると、その旨を示す信号がセンサから電子音源に送られ、電子音源では、その鍵に対応した楽音を急速に減衰させる処理が行われる。これは通常のアップライトピアノにおいてダンパによって行われる処理に相当する。なお、この処理は電子音源の内部において行っても良く、電子音源の後段に設けられた例えばエフェクタなどの装置内において行ってもよい。
【００３７】
押鍵が行われた場合には、以上の動作とともに次のような動作が行われる。まず、押鍵によりウイペン２３がピン２２ａを中心として時計廻りに回動されると、ウイペン２３の端部が板バネ８１の先端のクッション８１ａに当接し、板バネ８０の先端を下方に押し下げる。このとき板バネ８１の弾性により、ウイペン２３の端部を押し下げようとする力に対する抗力が発生する。この抗力は、ウイペン２３および鍵１１を介して演奏者の指に伝えられる。このため、演奏者は、通常のアップライトピアノのダンパが演奏者の指へ与えるのと同じ抗力を自分自身の指先に感じることとなる。
【００３８】
本実施形態においては、上述したレスト位置におけるウイペン２３の一端部から1.4mm程離れた位置に板バネ８１のクッション８１ａが配置されている。このような位置に板バネ８１のクッション８１ａを配置することにより、押鍵直後にウイペン２３が回動し始めてからウイペン２３の一端部が板バネ８１のクッション８１ａに当接するまでの間、ウイペン２３が板バネ８１からの抵抗力を受けずに回動するため、鍵を押下している演奏者に板バネ８１による抵抗力が伝わらないようにすることができる。従って、ダンパを有する鍵を押下したときに得られる鍵タッチ感に、より近付けることができる。
【００３９】
次にラウドペダル７１が押し下げられると、その旨を示す信号がセンサから電子音源に送られる。また、ラウドペダル７１に取り付けられているラウドペダル突上棒７４が下降する。ラウドペダル突上棒７４の下降に伴いラウドペダル突上棒７４が結合している回転アーム７５の端部７５ｃが図２の紙面左斜め下方側に付勢される。これにより、回転アーム７５は、回転軸７５ａを中心にして図２中時計回りに回転する。回転アーム７５が時計回りに回転すると、この回転アーム７５の上端の長孔７５ｂが反時計廻りに移動する。この長孔７５ｂの移動により、リンク部材７６の表面から突出した軸７６は、長孔７５ｂに沿って下方に案内される。この結果、揺動板８４およびこれに固定されている板バネ８１が、丁番軸８６ａを中心にして反時計回りに回動する。これにより、板バネ部８０の先端は、ウイペン２３の回動範囲よりも下方に移動する。
【００４０】
この状態で押鍵が行われた場合、ウイペン２３の端部は、板バネ８１の先端に当接することなく回動する。従って、通常のアップライトピアノにおいてラウドペダルが押し下げられているときに感じられる鍵タッチ感と同等の鍵タッチ感を得ることができる。
【００４１】
また、離鍵が行われたときには、その旨の信号がセンサから電子音源に送られるが、発声中の楽音信号を急速減衰させる処理は行われない。この場合、発声中の楽音は、暫くの間、大きな響きを保ったまま徐々に減衰してゆく。
【００４２】
演奏者がラウドペダル７１から足を離し、ラウドペダル突上棒７４が上昇すると、回転アーム７５は、回転軸７５ａを中心にして反時計回りに回転する。この回転アーム７５の回転により、回転アーム７５上端の長孔７５ｂが時計廻りに移動し、これにより、リンク部材７６の軸７６は、長孔７５ｂに沿って上方に案内される。そして、揺動板８４は、丁番軸８６ａを中心にして時計回りに回動し、板バネ部８０の先端は、元の位置、すなわち、ウイペン２３の端部下面の近くに移動する。この状態において押鍵が行われた場合の動作は既に説明した通りである。
【００４３】
以上説明した第１実施形態には次のような変形例がある。
板バネ８１を板バネ取付レール８２に取り付ける際の取付構造として、図６〜図８に示す各種の取付構造を適用してもよい。まず、図６に示す取付構造は、板バネ取付レール８２の上面に板バネ８１の形状に合わせた溝部８２ａを設け、この溝部８２ａに板バネ８１をはめ込んだうえで板バネ８１をねじ止めすることにより板バネ取付レール８２に取り付けるものである。また、図７に示す取付構造は、板バネ取付レール８２の上面の一端に、板バネ取付レール８２の長手方向に沿って凸部８２ｂを設け、この凸部８２ｂに板バネ８１の後端を当接させたうえで板バネ８１をねじ止めすることにより板バネ取付レール８２に取り付けるものである。また、図８に示す取付構造は、板バネ８１の先端に爪部８１ｃを設け、この爪部８１ｃを板バネ取付レール８２の側面に引っかけたうえで板バネ８１をねじ止めすることにより板バネ取付レール８２に取り付けるものである。このような取付構造を採用することにより、ウイペン２３に押し下げられた板バネ８１が板バネ取付レール８２上で位置ずれしてしまうことを防ぐことができ、この位置ずれを防止することにより、ウイペン２３が板バネ８１に付与する力のロスを減少することができ、板バネ８１から発生する抗力を安定化することが可能となる。
【００４４】
Ｂ．第２実施形態
図９はこの発明の第２実施形態である鍵盤楽器の構成を示す側断面図である。本実施形態に係る鍵盤楽器は、第１実施形態における板バネ部８０に相当するものを有していない。その代わりに、本実施形態に係る鍵盤楽器は、ダンパ部５０を備えている。このダンパ部５０は、ダンパスプーン５５と、板バネ５１と、ダンパロッド部５６と、バックチェック５２とを有している。
【００４５】
図９に示すように、ダンパスプーン５５は、スプーンにおけるボール（丸いへこみ）の底に相当する部分をピアノ背面側に向け、柄の部分を垂直に起立させた状態でウイペン２３の端部上面に固定されている。板バネ５１は、このダンパスプーン５５のボールをピアノ背面側から抑えるための部材であり、図示のようにセンタレール１６に取り付けられている。図１０に示すように、板バネ５１は、センタレール１６の上面に配置される取付面１５ａと、この取付面１５ａと略直角をなす部材当接面１５ｂとを有している。取付面１５ａには、板バネ５１の弾力性を保持するための凸部５１ｅと、ネジを通すためのネジ孔５１ｄとが設けられており、このネジ孔５１ｄにネジを通すことにより板バネ５１がセンタレール１６に取り付けられる。部材当接面１５ｂには、フェルト部材５１ｃが設けられており、このフェルト部材５１ｃにダンパスプーン５５におけるボールの底に相当する部分が当接している。
【００４６】
図９において、ダンパロッド部５６は、センタレール１６に対して固定された回転軸５６ａと、ダンパロッド軸５６ｂと、レバー５６ｂとを有している。ダンパロッド軸５６ｂは、一端が回転軸５６ａに取り付けられており、この回転軸５６ａを中心として回動可能である。ダンパロッド軸５６ｂの他端には結合軸５６ｄが設けられている。レバー５６ｂは、一端がラウドペダル突上棒５９の上端部と連結されている。このラウドペダル突上棒５９は、ラウドペダルを踏み込むと上昇し、ラウドペダルから足を離すと下降する部材である。レバー５６ｂは、その途中の部分において緩やかに下方に曲がっている。そして、レバー５６ｂにおけるラウドペダル突上棒５９とは反対側の端部は、ダンパロッド軸５６ｂの結合軸５６ｄに取り付けられている。バックチェック５２は、センタレール１６に取り付けられており、レバー５６ｂと当接している。このバックチェック５２は、ラウドペダル突上棒５９が上昇するときに、この動きに合わせて、レバー５６ｂを斜め上方に案内する部材である。
【００４７】
以下、本実施形態の動作を説明する。図９において、押鍵により、キャプスタン９が上昇すると、ウイペン２３のピアノ背面側の端部がピン２２ａを中心として頭を下げる。この結果、ダンパスプーン５５におけるスプーンのボール底に相当する部分が板バネ５１に押し当てられ、板バネ５１が弾性変形する。このときの板バネ５１の弾性力により、ウイペン２３の端部の下降を元に戻そうとする抗力が発生する。この抗力は、ウイペン２３および鍵１１を介して演奏者の指に伝えられる。このため、演奏者は、ダンパを有する鍵を押下した際に感じられる鍵タッチ感と同等の鍵タッチ感を得ることができる。
【００４８】
演奏者がラウドペダルを踏み込み、ペダル突き上げ棒５９が上昇すると、これに連結されたレバー５６ｃにより結合軸５６ｄが斜め上方に引っ張られる。この結果、ダンパロッド軸５６ｂは、回転軸５６ａを中心として反時計廻りに回動する。そして、ダンパロッド軸５６ｂの先端部は、破線によって示されるように、板バネ５１をピアノ背面側に向けて押し出す。この結果、板バネ５１の部材当接部５１ｂは、ダンパスプーン５５の回動範囲の外側に待避される。
【００４９】
この状態においては、押鍵が行われた場合、ダンパスプーン５５が回動したとしても、ダンパスプーン５５は板バネ５１の部材当接部５１ｂに接触しない。従って、演奏者は、通常のアップライトピアノの演奏において、ラウドペダルを踏み込んだときと同じタッチ感を指先に感じることができる。
【００５０】
演奏者がラウドペダルから足を離し、ペダル突き上げ棒５９が下降すると、これに連結されたレバー５６ｃにより結合軸５６ｄが斜め下方に押し下げられる。この結果、ダンパロッド軸５６ｂは、回転軸５６ａを中心として時計廻りに回動して元の向きに戻る。このとき、板バネ５１は、それ自身が有する弾性により元の位置に戻り、フェルト部材５１ｃをダンパスプーン５５におけるスプーンのボール底に相当する部分に当接させる。この状態において押鍵がなされた場合の動作は既に説明した通りである。
【００５１】
Ｃ．第３実施形態
アップライトピアノにおいて、高音域（最高音から２０鍵前後の鍵）についてはダンパが設けられていない。このため、高音域とそれ以外の音域とでは、押鍵時における鍵タッチ感が異なる。本実施形態は、このようなアップライトピアノにおいて、ダンパが設けられていない高音域の押鍵時のタッチ感をダンパが設けられている他の音域の押鍵時のタッチ感と同様なものにすることを目的としている。
【００５２】
図１１はこの発明の第３実施形態に係る鍵盤楽器の構成を示す側断面図である。この鍵盤楽器は、被打撃部６０に代えて、弦Ｓを備えており、ハンマ４３に替えて打弦用ハンマ４３’を備えている。この鍵盤楽器は、例えば、アップライトピアノであり、最高音の鍵から２０鍵程の範囲にある鍵にはダンパが備えられていない。
【００５３】
打弦用ハンマ４３’は、ハンマシャンク４３ａ’を有しており、ハンマシャンク４３ａ’の先端部にはハンマウッド４３ｂ’が取り付けられている。ハンマウッド４３ｂ’の先端部には、ハンマフェルト４３ｃ’が取り付けられている。打弦用ハンマ４３’が、押鍵された鍵１１に対応する弦Ｓを打撃することによって弦Ｓが振動する。
【００５４】
そして、本実施形態において、高音域の鍵１１については、上記第２実施形態におけるダンパ部５０が設けられている。このダンパ部５０により、上記第２実施形態と同様、ダンパがあるときと同じタッチ感が演奏者の指に与えられる。
【００５５】
従って、本実施形態によれば、アップライトピアノにおいて、ダンパが設けられていない高音域の押鍵時のタッチ感をダンパが設けられている他の音域の押鍵時のタッチ感と同様なものにすることができる。
【００５６】
【発明の効果】
以上説明したように、この発明によれば、演奏者がダンパを有しない鍵を押鍵したときに、ダンパを有する鍵を押鍵したときと同じタッチ感を発生することができる。さらに詳述すると、第１の発明においては、電子ピアノを使う演奏者でも生ピアノにある止音、延音時のタッチをリアルに体験することができる。ここで、止音とは、ラウドペダルを踏み込んでいない状態において、押鍵後、離鍵を行うことにより音を停止させる操作をいう。この場合、押鍵のときには、鍵の動作によってダンパが弦から離されてから打弦が行われ、離鍵のときには鍵の動作によってダンパが弦に接触し、音が急速に減衰する。従って、演奏者は押離鍵の際に鍵を介してダンパの抵抗を感じる。一方、延音とは、ラウドペダルを踏み込んだ状態において、押離鍵を行い、音を残響させる操作をいう。この場合、ダンパは弦から離された状態で押離鍵が行われるため、ダンパの抵抗が演奏者の指に伝わることはない。本発明によれば、このようなタッチの違いをリアルに体験することができるのである。また、第２の発明においては、押下する鍵に拘わらず、均一なタッチ感の得られるアップライトピアノを実現することができる。
【図面の簡単な説明】
【図１】  本発明の第１実施形態に係る鍵盤楽器の構成を示す側断面図である。
【図２】  同鍵盤楽器のハンマアッセンブリおよびアクション機構の構成を示す側断面図である。
【図３】  同鍵盤楽器の板バネ部の構成および取付態様を示す側断面図である。
【図４】  同鍵盤楽器の板バネ部の構成を示す分解斜視図である。
【図５】  同鍵盤楽器を背面側から見た図である。
【図６】  同実施形態の変形例を示す図である。
【図７】  同実施形態の変形例を示す図である。
【図８】  同実施形態の変形例を示す図である。
【図９】  この発明の第２実施形態に係る鍵盤楽器を構成を示す側断面図である。
【図１０】  同鍵盤楽器の板バネの斜視図である。
【図１１】  この発明の第３実施形態に係るアップライトピアノの構成を示す側断面図である。
【図１２】  ダンパの有無によるタッチ感の違いを表したグラフである。
【符号の説明】
１……棚板、１１……鍵、２３……ウイペン、７０……ラウドペダル部、７１……ラウドペダル、７４……ラウドペダル突上棒、５０……ダンパ部、５１……板バネ、５５……ダンパスプーン、５６……ダンパロッド、８０……板バネ部、８１……板バネ、８２……板バネ取付レール、８３……板バネ押え、８４……揺動板、８５……ヒンジ取付板、８６……丁番、８７……板バネ取付台、８８……棚板取付金具。
【図１】
0003852355.tif 000002
【図２】
0003852355.tif 000003
【図３】
0003852355.tif 000004
【図４】
0003852355.tif 000005
【図５】
0003852355.tif 000006
【図６】
0003852355.tif 000007
【図７】
0003852355.tif 000008
【図８】
0003852355.tif 000009
【図９】
0003852355.tif 000010
【図１０】
0003852355.tif 000011
【図１１】
0003852355.tif 000012
【図１２】
0003852355.tif 000013